(57)【要約】【課題】カラーコピー機による偽造を確実に防止する。【解決手段】帳票の用紙１上に、金属粉末が混入された金属ペーストインキで印刷した判別層６−１と、この判別層６−１の周縁またはその全面に金属ペーストインキと同色かつ質感の等しい印刷インキで印刷した隠蔽層６−２とからなる真偽判別欄６を設け、この真偽判別欄６をスクラッチすると、カラーコピー機では複写不能な金属光沢の判別層６−１が現れるようにする。【選択図】　図３
2004082656.tif 000002
【特許請求の範囲】
【請求項１】
用紙に所定情報が印字された帳票であって、
上記用紙には、金属粉末が混入された金属ペーストインキ層が設けられ、この金属ペーストインキ層をスクラッチすると、複写不能な金属光沢が現出するように構成されている
ことを特徴とする偽造防止帳票。
【請求項２】
用紙に所定情報が印字された帳票であって、
上記用紙には真偽判別欄が設けられ、
上記真偽判別欄は、
金属粉末が混入された金属ペーストインキにより形成された判別層と、
上記判別層の周縁またはその全面に、金属ペーストインキと同色でかつ質感の等しい印刷インキにより形成された隠蔽層と、
を有し、
上記真偽判別欄をスクラッチすると、複写不能な金属光沢の判別層が現出するように構成されている
ことを特徴とする偽造防止帳票。
【請求項３】
上記金属粉末は、銀粉末であることを特徴とする請求項１または請求項２記載の偽造防止帳票。
【請求項４】
上記隠蔽層は、顔料に金属粉末が混入されていない印刷インキにより形成されていることを特徴とする請求項２または請求項３記載の偽造防止帳票。
【請求項５】
上記隠蔽層は、顔料にアルミニウム粉末または真鍮粉末からなる金属粉末が、スクラッチ後に金属光沢が出現しない程度の含有量で混入された印刷インキにより形成されていることを特徴とする請求項２または請求項３記載の偽造防止帳票。
【請求項６】
上記金属ペーストインキ、および金属粉末が混入された印刷インキには、酸化防止剤が含有されていることを特徴とする請求項１乃至請求項５記載の偽造防止帳票。
【発明の詳細な説明】
【０００１】
【発明の属する技術分野】
本発明は、商品券のような金券的価値を有する帳票に関し、特に、偽造防止加工が施された帳票に関するものである。
【０００２】
【従来の技術】
現在では、商品券、入場券、有価証券などの帳票類が数多く流通しているが、これらの帳票類は金券的価値を有することから、コピー機などによる偽造の対象となり易く、帳票上に何等かの偽造防止加工を施す必要がある。そこで、従来から採用されている偽造防止加工の例を挙げると、以下のようなものがある。
【０００３】
（イ）箔押し
用紙上にアルミニウムなどの金属箔を加圧・加熱する箔押し加工を施すもので、コピー機で複写すると、金属箔の部分が黒色に複写される。
【０００４】
（ロ）ホログラム
光の反射角の違いを利用したもので、用紙上に透明のホログラムフィルムラベルを貼付する。コピー機で複写すると、ホログラムの光散乱面に反射した光はコピー機の受光部に入射して白色に複写され、ホログラムの正反射面に反射した光はコピー機の受光部に入射せずに黒色に複写される。
【０００５】
（ハ）網点
網点の大小とコピー機の解像度の差を利用したもので、用紙上の小さな網点の領域内に大きな網点で文字を表わす。肉眼ではこの文字は小さな網点の中に埋もれて見えないが、コピー機で複写すると、小さな網点は複写されずに大きな網点だけが複写されるため、文字が浮かび上がって見える。
【０００６】
（ニ）サーモクロミックインキ
温度によって変色する示温インキ（サーモクロミックインキ）を利用したもので、用紙上に模様などの画像を印刷し、その上にサーモクロミックインキで迷彩の地紋を印刷して画像を隠す。指でこのインキに触れると体温により変色し、地紋を忠実に再現できないようになっている。
【０００７】
しかしながら、従来の偽造防止加工においては、以下のような問題があった。例えば（イ）の箔押しや（ニ）のサーモクロミックインキの場合、加工が複雑で手間がかかるために生産性が悪い。また、（ロ）のホログラムフィルムラベルは、比較的に偽造防止効果が大きいが、その単価が高く、入場券のように一度に大量の帳票を作製する場合には大幅なコストアップを招く。さらに、近年急速に進歩した高解像度のコピー機によれば、限りなく本物に近い精密な複写が可能であるため、（ハ）の網点のように単純な偽造防止加工を施すだけでは比較的簡単に複製されてしまう。
【０００８】
【発明が解決しようとする課題】
本発明は、このような問題点に鑑みてなされたものであり、その目的とするところは、簡単かつ廉価に加工でき、かつカラーコピー機による偽造を確実に防止し得る帳票を提供することにある。
【０００９】
【課題を解決するための手段】
上記目的を達成するために、本発明に係る偽造防止帳票は、用紙に所定情報が印字された帳票であって、用紙には、金属粉末が混入された金属ペーストインキ層が設けられ、この金属ペーストインキ層をスクラッチすると、複写不能な金属光沢が現出するように構成されていることを特徴とする。
【００１０】
また、本発明に係る偽造防止帳票は、用紙に所定情報が印字された帳票であって、用紙には真偽判別欄が設けられ、真偽判別欄は、金属粉末が混入された金属ペーストインキにより形成された判別層と、判別層の周縁またはその全面に、金属ペーストインキと同色でかつ質感の等しい印刷インキにより形成された隠蔽層と、を有し、真偽判別欄をスクラッチすると、複写不能な金属光沢の判別層が現出するように構成されていることを特徴とする。
【００１１】
一般に、金属ペーストインキのビヒクルに混入される金属粉末としては、銀粉末やカーボン粉末などがあるが、本発明では銀粉末を使用する。これは、カーボン粉末は金属光沢を発しないのに対して、銀粉末は金属光沢が良好で真偽判別に好適なためである。なお、スクラッチすると金属光沢を発するものであれば、その他の金属粉末をビヒクルに混入した金属ペーストインキを使用しても良い。さらに、銀粉末などの金属粉末は酸化しやすい性質があり、水分、熱、ガスなどの影響を受けると金属光沢の低下や変色を起こしやすいため、金属ペーストインキには酸化を防ぐために、必要に応じてｐＨ調整剤、フェノール系、リン系、硫黄系からなる樹脂、油脂などの酸化防止剤が含有されていることが好ましい。
【００１２】
一方、隠蔽層は、判別層を目視不能とするために、金属ペーストインキと同色かつ同質感を有するインキを使用して形成される。例えば、顔料に金属粉末が混入されていない紫外線硬化型（ＵＶ）インキ、酸化重合型インキなどの印刷インキのほか、顔料にアルミニウム粉末や真鍮粉末などの金属粉末が金属光沢を発しない程度の含有量で混入された印刷インキを使用することができる。なお、隠蔽層を形成する印刷インキに金属粉末が混入されている場合にも、酸化を防ぐ観点から、上記のような酸化防止剤が含有されていることが望ましい。
【００１３】
【発明の実施の形態】
以下、本発明に係る偽造防止帳票の好適な実施の形態について、本発明を商品券に適用した例を挙げて、添付図面を参照しながら詳細に説明する。
【００１４】
＜第１実施形態＞
図１は本発明を適用した商品券の第１実施形態の構成を示す平面図、図２は同商品券の構成を示す断面図である。
【００１５】
図１および図２に示すように、本実施形態の商品券１０は、所要形状に形成された用紙１に、本券が商品券であることを示す商品券表示欄２、有効期限表示欄３、本券の金銭価値を示す金額表示欄４などの事項が印字された券面に、偽造防止加工が施されている。
【００１６】
この偽造防止加工は、各種金属ペーストのインキによる印刷を施した金属ペーストインキ層５を設けるというものである。この金属ペーストインキはスクリーンインキであり、固形成分含有量が通常７０％程度と高く、金属ペーストインキの印刷方式は孔版を使用したスクリーン印刷によって印刷され、用紙１上に重厚なインキの膜厚が形成されている。また、この金属ペーストインキ層５は、通常の状態では金属光沢のないつや消し状となっている。
【００１７】
そして、本実施形態の商品券１０は、券面に定着した金属ペーストインキ層５をスクラッチしたときに出現する金属光沢の有無によって、この商品券１０が本物であるか偽物であるかの真偽判別を行なうというものである。
【００１８】
一般に、金属ペーストインキのビヒクルに混入される金属粉末としては、銀粉末やカーボン粉末などがあるが、本実施形態では銀粉末を使用する。これは、カーボン粉末は金属光沢を発しないのに対して、銀粉末は金属光沢が良好で真偽判別に好適なためである。
【００１９】
また、金属ペーストインキとしては、インキ定着後にスクラッチすると金属光沢を発するものであれば、その他の金属粉末をビヒクルに混入した金属ペーストインキを使用しても良い。市販の金属ペーストインキとしては、銀ペーストやその他様々な色の金属ペーストが揃ったインキである「ドータイト」（藤倉化成株式会社製、商品名）シリーズを使用することができる。
【００２０】
なお、銀粉末などの金属粉末は酸化しやすい性質があり、水分、熱、ガスなどの影響を受けると金属光沢の低下や変色を起こしやすい。そこで、この金属ペーストインキにはビヒクルによる酸化を防ぐために、必要に応じてｐＨ調整剤、フェノール系、リン系、硫黄系からなる樹脂、油脂などの酸化防止剤が含有されていることが好ましい。
【００２１】
本実施形態の商品券１０の券面には、このような金属ペーストインキ層５により罫線が構成されている。この商品券１０をカラーコピー機で複写しても、金属ペーストインキ特有の金属光沢までは忠実に再現できないため、複写による偽造を確実に防止することができる。よって、この商品券１０の真偽判別方法としては、罫線を爪やコインなどでスクラッチし、光沢を発するものは金属ペーストインキを使用しているために本物、光沢を発しないものはこのような金属ペーストインキを使用していないために偽物であるという具合に容易に真偽判別が可能となる。
【００２２】
また、金属ペーストインキにより印刷された金属ペーストインキ層５は、罫線に限らず、例えば商品券表示欄２、有効期限表示欄３に設けても良い。
【００２３】
さらに、真偽判別方法として、金属光沢の出現の有無は肉眼でもはっきりと見てとれるため、目視により個々に行なっても良いが、例えばリーダーに、金属ペーストインキをスクラッチするスクラッチ部と、光反射率を読み取る読取部とを設け、スクラッチすると金属ペーストインキ層の光反射率が大きく変化することを読み取って、機械による判別を行なうことも可能である。この場合、金属ペーストインキに混入された金属粉末の配合比率と光反射率との関係を表わすデータを予め作成しておき、このデータに基づいて、帳票の光反射率を読み取って真偽判別を行なうようにすると良い。
【００２４】
このように、本実施形態によれば、金属粉末を独自の比率で配合した金属ペーストインキを使用してスクリーン印刷するだけの簡単な方法で帳票に偽造防止加工を施すことができるとともに、光反射率の違いを読み取って真贋を比較することにより、より高精度な真偽判別を行なうことができる。
【００２５】
＜第２実施形態＞
図３は本発明を適用した商品券の第２実施形態の構成を示す平面図、図４は同商品券の構成を示す断面図、図５は同商品券をスクラッチした状態を示す平面図である。なお、本実施形態の商品券の基本的な構造については、上述した第１実施形態と同様であるので、同一部材には同一符号を附してその詳細な説明は省略する。
【００２６】
図３および図４に示すように、本実施形態の商品券１０は、券面に本物か偽物かを判別する真偽判別欄６が設けられており、この真偽判別欄６に偽造防止加工が施されているのが特徴である。
【００２７】
真偽判別欄６は、この商品券１０が本物か偽物かを判別するための判別層６−１と、通常の状態ではこの判別層６−１を目視できないように隠蔽する隠蔽層６−２とから構成されている。
【００２８】
判別層６−１は、文字、記号、模様などから構成されるもので、本実施形態の判別層６−１は、銀粉末などの金属粉末をビヒクルに混入した金属ペーストインキをスクリーン印刷することにより、この商品券１０が本物であることを表わす「ＯＫ」の文字が形成されている。すなわち、この判別層６−１の印刷に使用する金属ペーストインキは、第１実施形態で説明した金属ペーストインキと同一のものである。
【００２９】
一方、隠蔽層６−２は、通常状態では判別層６−１の文字を目視できないようにするために、判別層６−１の周縁または判別層６−１の全面を覆うように形成されるものである。すなわち、隠蔽層６−２は、判別層６−１の印刷に使用した金属ペーストインキと同色でかつ質感の等しい印刷インキをベタ印刷することにより形成されている。
【００３０】
ここで、金属ペーストインキと同色でかつ質感の等しいインキとしては、顔料に金属粉末が混入されていない紫外線硬化型（ＵＶ）インキ、酸化重合型インキなどの通常の印刷インキ、あるいは、顔料としてアルミニウム粉末や、銅と亜鉛を配合した真鍮粉末などの金属粉末を、スクラッチ後に金属光沢を発しない程度の含有量で混入した印刷インキを使用することができる。顔料としてアルミニウム粉末を用いると銀色の印刷インキが得られ、真鍮粉末を用いると金色の印刷インキが得られる。
【００３１】
また、これら通常の印刷インキは固形成分含有量が通常１５〜５０％程度と比較的低く、印刷方式としては凸版印刷、オフセット印刷などの各種印刷方式で印刷することが可能である。
【００３２】
隠蔽層６−２を形成する印刷インキに金属粉末が混入されている場合には、酸化を防止する観点から、この印刷インキにも金属ペーストインキと同様に、上述したような酸化防止剤が含有されていることが望ましい。
【００３３】
なお、市販のインキを使用する場合、判別層６−１の印刷には金属ペーストインキとして、例えば「ドータイト」（藤倉化成株式会社製、商品名）シリーズの銀ペーストを使用し、隠蔽層６−２の印刷には金属ペーストインキと同色かつ同質感の印刷インキとして、例えば「ＮＶＲ」（Ｔ＆Ｋ　ＴＯＫＡ製、商品名）を使用することができる。
【００３４】
このように、商品券１０の真偽判別欄６は、判別層６−１と隠蔽層６−２とが質感の等しいインキで印刷されているため、目視では何という文字が印刷されているのかを確認することができず、商品券１０をカラーコピー機で複写しても、判別層６−１を形成する金属ペーストインキ特有の金属光沢までは忠実に再現できないため、複写による偽造を確実に防止することができる。
【００３５】
また、この商品券１０の真偽判別欄６を爪やコインなどでスクラッチした状態を図５に示す。同図に示すように、判別層６−１を形成する金属ペーストインキは銀粉末などの金属粉末が多く混入されているために金属光沢を発する。一方、隠蔽層６−２を形成する印刷インキは、紫外線硬化型インキや酸化重合型インキにアルミニウム粉末や真鍮粉末などの金属粉末が混入されている場合もあるが、金属粉末はスクラッチしたときに金属光沢を発することのない程度の含有量とされている。よって、金属光沢を発する「ＯＫ」の文字が出現する商品券は本物で、このような金属光沢の文字が出現しない商品券は偽物であるという具合に、真偽判別の基準が明確となり、より簡単かつ確実に真偽判別を行なうことができる。
【００３６】
さらに、真偽判別欄６を形成するために使用するインキの例としては、金属粉末が混入された金属ペーストインキで判別層６−１を印刷し、この金属ペーストインキと同色でかつ異種の金属粉末が混入された金属ペーストインキで隠蔽層６−２を印刷することもできる。このような構成によれば、真偽判別欄６をスクラッチすると、金属光沢を発する判別層６−１と、この判別層６−１とは光反射率の異なる金属光沢を発する隠蔽層６−２が背景となって出現する。
【００３７】
よって、リーダーに、真偽判別欄６をスクラッチするスクラッチ部と、光反射率を読み取る読取部とを設け、真偽判別欄６をスクラッチして判別層６−１と隠蔽層６−２の光反射率の違いによって判別層６−１を読み取れば、機械による高精度な真偽判別を行なうことができる。
【００３８】
なお、上述した各実施形態においては、本発明に係る偽造防止帳票を商品券に適用した例を挙げて説明したが、本発明はその他の帳票、例えば入場券、有価証券、身分証明書など、カラーコピー機による偽造の対象となり易い帳票類がその適用対象となり、これらの帳票類の偽造を効果的に防止することができる。
【００３９】
【発明の効果】
以上詳細に説明したように、本発明に係る偽造防止帳票によれば、以下のような効果を奏する。
【００４０】
帳票用紙には、金属粉末が混入された金属ペーストインキ層が設けられており、この金属ペーストインキ層をスクラッチすることにより、複写できない金属ペーストインキ特有の金属光沢が現出するため、カラーコピー機では金属ペーストインキ層までは忠実に再現することができず、複写による偽造を確実に防止することができる。
【００４１】
また、例えば金属ペーストインキにより判別層を印刷し、判別層を目視不能とするために、判別層の周縁やその全面に金属ペーストインキと同色でかつ質感の等しい印刷インキにより隠蔽層を印刷した真偽判別欄を設けることもできる。この真偽判別欄をスクラッチすると、判別層はカラーコピー機では複写できない金属光沢を発し、隠蔽層はそのような金属光沢を発しないため、金属光沢の判別層が出現する帳票は本物、このような判別層が出現しない商品券は偽物であるという具合に、真偽判別の基準が明確となり、より確実に真偽判別を行なうことができる。
【図面の簡単な説明】
【図１】本発明を適用した商品券の第１実施形態の構成を示す平面図。
【図２】図１の商品券の構成を示す断面図。
【図３】本発明を適用した商品券の第２実施形態の構成を示す平面図。
【図４】図３の商品券の構成を示す断面図。
【図５】図３の商品券をスクラッチした状態を示す平面図。
【符号の説明】
１　用紙
２　商品券表示欄
３　有効期限表示欄
４　金額表示欄
５　金属ペーストインキ層
６　真偽判別欄
６−１　判別層
６−２　隠蔽層
１０　商品券（偽造防止帳票）
【図１】
2004082656.tif 000003
【図２】
2004082656.tif 000004
【図３】
2004082656.tif 000005
【図４】
2004082656.tif 000006
【図５】
2004082656.tif 000007